(57)【要約】【課題】収納棚Ｆを広いスペースを要することなく組み立てて完成できるようにし、組み立て後の起立作業を不要化するとともに、収納棚Ｆを必要に応じて他の構造に容易に変更できるようにして、その変更の容易化を図る。【解決手段】第１及び第２自立用ボックス１，２を設け、その自立用ボックス１，２に断面Ｌ字状の第１及び第２Ｌ型側板１１，１２と、自立用ボックス１，２間に位置する中仕切り板２１，２１とを各々の下端部で取り外し可能に固定して自立させ、それら側板１１，１２や中仕切り板２１，２１に棚板３１，３２を架け渡して固定する。【選択図】図１
2018051265.tif 000002
【特許請求の範囲】
【請求項１】
上下に間隔をあけて対向する矩形状板材が、各々の対角線方向に対向する両角部において断面Ｌ字状の側壁により一体的に連結された第１及び第２自立用ボックスと、
板状の側板本体と、該側板本体と同じ高さの板状の起立片部とが互いに直交するように連続する断面Ｌ字状の１対の第１Ｌ型側板と、
上記第１Ｌ型側板の側板本体と同じ高さで該側板本体よりも短い幅を有する板状の側板本体と、該側板本体と同じ高さの板状の起立片部とが互いに直交するように連続する断面Ｌ字状の１対の第２Ｌ型側板と、
上記Ｌ型側板と同じ高さを有する１対の中仕切り板と、
互いに同じ左右長さを有する複数の第１棚板と、
上記第１棚板と同じ左右長さを有しかつ第１棚板よりも短い幅を有する複数の第２棚板とを備え、
上記両自立用ボックスは、収納棚の左右両側部において前後方向にずれて配置されており、
上記一方の第１Ｌ型側板は下端部において第２自立用ボックスに対し、第１Ｌ型側板の側板本体が収納棚の左右一側部に位置しかつ起立片部が収納棚の前後一側部に位置した状態で、該側板本体及び起立片部が第２自立用ボックスの一方の側壁に締結具により取り外し可能に締結されて起立状態で固定され、
上記一方の第２Ｌ型側板は下端部において上記第２自立用ボックスに対し、該第２Ｌ型側板の側板本体が収納棚の左右一側部において第１Ｌ型側板の側板本体に前後方向に並びかつ起立片部が収納棚の前後他側部に位置した状態で、該側板本体が第２自立用ボックスの上記一方の側壁に締結具により取り外し可能に締結されて起立状態で固定され、
上記他方の第２Ｌ型側板は下端部において第１自立用ボックスに対し、第２Ｌ型側板の側板本体が収納棚の左右他側部に位置しかつ起立片部が収納棚の前後他側部に位置した状態で、該側板本体及び起立片部が第１自立用ボックスの一方の側壁に締結具により取り外し可能に締結されて起立状態で固定され、
上記他方の第１Ｌ型側板は下端部において上記第１自立用ボックスに対し、第１Ｌ型側板の側板本体が収納棚の左右他側部において第２Ｌ型側板の側板本体に前後方向に並びかつ起立片部が収納棚の前後一側部に位置した状態で、該側板本体が第１自立用ボックスの上記一方の側壁に締結具により取り外し可能に締結されて起立状態で固定され、
上記一方の中仕切り板は下端部において上記第２自立用ボックスに対し、第２自立用ボックスの他方の側壁に締結具により取り外し可能に締結されて起立状態で固定され、
上記他方の中仕切り板は下端部において上記第１自立用ボックスに対し、一方の中仕切り板に前後方向に並んだ状態で第１自立用ボックスの他方の側壁に締結具により取り外し可能に締結されて起立状態で固定され、
上記起立状態の第１及び第２Ｌ型側板の側板本体と両中仕切り板との間に第１及び第２棚板が架け渡されて取り外し可能に固定されていることを特徴とする収納棚。
【請求項２】
請求項１において、
第１自立用ボックスの前後幅は第２Ｌ型側板の側板本体の幅よりも大きく、
第２自立用ボックスの前後幅は第１Ｌ型側板の側板本体の幅よりも大きいことを特徴とする収納棚。
【請求項３】
請求項１又は２において、
第１Ｌ型側板の側板本体の幅は第１棚板の幅と同じであり、
第２Ｌ型側板の側板本体の幅は第２棚板の幅と同じであることを特徴とする収納棚。
【請求項４】
請求項１〜３のいずれか１つにおいて、
第１及び第２棚板の少なくとも一方が、第１及び第２Ｌ型側板の両側板本体と、両中仕切り板とに跨がって架け渡されていることを特徴とする収納棚。
【請求項５】
請求項１〜４のいずれか１つの収納棚から組換えによって設置される収納棚であって、
一方の第１Ｌ型側板は下端部において第１自立用ボックスに対し、第１Ｌ型側板の側板本体が収納棚の左右一側部に位置しかつ起立片部が収納棚の後側部に位置した状態で、該側板本体及び起立片部が第１自立用ボックスの一方の側壁に締結具により取り外し可能に締結されて起立状態で固定され、
他方の第１Ｌ型側板は下端部において上記第１自立用ボックスに対し、第１Ｌ型側板の側板本体が収納棚の左右他側部に位置しかつ起立片部が収納棚の後側部に位置した状態で、該側板本体が第１自立用ボックスの他方の側壁に締結具により取り外し可能に締結されて起立状態で固定され、
上記両第１Ｌ型側板の側板本体間に第１棚板が架け渡されて取り外し可能に固定され、
上記両第１Ｌ型側板の起立片部間に一方の中仕切り板が突き合わせ状態で配置されていることを特徴とする収納棚。
【請求項６】
請求項１〜４のいずれか１つの収納棚から組換えによって設置される収納棚であって、
一方の第２Ｌ型側板は下端部において第２自立用ボックスに対し、第２Ｌ型側板の側板本体が収納棚の左右一側部に位置しかつ起立片部が収納棚の後側部に位置した状態で、該側板本体及び起立片部が第２自立用ボックスの一方の側壁に締結具により取り外し可能に締結されて起立状態で固定され、
他方の第２Ｌ型側板は下端部において上記第２自立用ボックスに対し、第２Ｌ型側板の側板本体が収納棚の左右他側部に位置しかつ起立片部が収納棚の後側部に位置した状態で、該側板本体が第２自立用ボックスの他方の側壁に締結具により取り外し可能に締結されて起立状態で固定され、
上記両第２Ｌ型側板の側板本体間に第２棚板が架け渡されて取り外し可能に固定され、
上記両第２Ｌ型側板の起立片部間に他方の中仕切り板が突き合わせ状態で配置されていることを特徴とする収納棚。
【請求項７】
請求項１〜４のいずれか１つの収納棚の自立用ボックス、Ｌ型側板、中仕切り板及び棚板が組み立て前に分解された状態でまとめられていることを特徴とする収納棚セット。
【発明の詳細な説明】
【技術分野】
【０００１】
本発明は、収納棚及び収納棚セットに関するものである。
【背景技術】
【０００２】
従来、室内に設置される収納棚として、例えば特許文献１に示されるように、上下の天板及び底板と左右の側板とを矩形枠状に組み立て、それらの側板間に上下方向の仕切り板を配置し、側板と仕切り板との間に左右水平方向の棚板を架け渡すことで、天板や棚板の上に物を載置できるようにしたものは一般によく知られている。
【先行技術文献】
【特許文献】
【０００３】
【特許文献１】特開２００４−２２３２２７号公報
【発明の概要】
【発明が解決しようとする課題】
【０００４】
ところで、この従来の収納棚を、居室をはじめとする屋内で組み立てて設置する場合、その収納棚を室内の床上に寝かせた状態で組み立てて完成させ、完成後に本来の用途に対応する起立状態に自立させるようになっている。そのため、起立状態にある収納棚の設置スペースが本来は小さいにも拘わらず、その組み立てのための広いスペースが必要となる。しかも、組み立て後に起立させる作業が必要であるので、その作業に複数の作業者を要し、設置に手間が掛かるという難がある。特に、収納棚の高さが高くなれば、顕著となる。
【０００５】
また、このように完成した収納棚を使用目的に応じて設置当初の構造から変更しようとしても、その変更は大掛かりな作業や工事になる。このことから、例えば賃貸用の住居等においては、入居者のライフスタイルに合わせた対応が柔軟にできないという問題が生じる。
【０００６】
本発明は斯かる諸点に鑑みてなされたもので、その目的は、収納棚の構造に工夫を加えることにより、その収納棚を広いスペースを要することなく組み立てて完成できるようにし、組み立て後の起立作業を不要化するとともに、収納棚の構造を必要に応じて容易に変更できるようにして、その変更の容易化を図ることにある。
【課題を解決するための手段】
【０００７】
上記の目的を達成するために、この発明では、完成後に収納棚の一部になる自立用のボックスを設け、その自立用ボックスに断面Ｌ字状の側板や中仕切り板を取り外し可能に固定して自立させ、それら側板や中仕切り板に棚板を架け渡して収納棚とするようにした。
【０００８】
具体的には、第１の発明は、上下に間隔をあけて対向する矩形状板材が、各々の対角線方向に対向する両角部において断面Ｌ字状の側壁により一体的に連結された第１及び第２自立用ボックスと、板状の側板本体、及び該側板本体と同じ高さの板状の起立片部が互いに直交するように連続する断面Ｌ字状の１対の第１Ｌ型側板と、この第１Ｌ型側板の側板本体と同じ高さで該側板本体よりも短い幅を有する板状の側板本体、及び該側板本体と同じ高さの板状の起立片部が互いに直交するように連続する断面Ｌ字状の１対の第２Ｌ型側板と、上記Ｌ型側板と同じ高さを有する１対の中仕切り板と、互いに同じ左右長さを有する複数の第１棚板と、上記第１棚板と同じ左右長さを有しかつ第１棚板よりも短い幅を有する複数の第２棚板とを備え、上記両自立用ボックスは、収納棚の左右両側部において前後方向にずれて配置されている。
【０００９】
そして、上記一方の第１Ｌ型側板は下端部において第２自立用ボックスに対し、第１Ｌ型側板の側板本体が収納棚の左右一側部に位置しかつ起立片部が収納棚の前後一側部に位置した状態で、該側板本体及び起立片部が第２自立用ボックスの一方の側壁に締結具により取り外し可能に締結されて起立状態で固定されている。
【００１０】
また、上記一方の第２Ｌ型側板は下端部において上記第２自立用ボックスに対し、該第２Ｌ型側板の側板本体が収納棚の左右一側部において第１Ｌ型側板の側板本体に前後方向に並びかつ起立片部が収納棚の前後他側部に位置した状態で、該側板本体が第２自立用ボックスの上記一方の側壁に締結具により取り外し可能に締結されて起立状態で固定されている。
【００１１】
さらに、上記他方の第２Ｌ型側板は下端部において第１自立用ボックスに対し、第２Ｌ型側板の側板本体が収納棚の左右他側部に位置しかつ起立片部が収納棚の前後他側部に位置した状態で、該側板本体及び起立片部が第１自立用ボックスの一方の側壁に締結具により取り外し可能に締結されて起立状態で固定されている。
【００１２】
また、上記他方の第１Ｌ型側板は下端部において上記第１自立用ボックスに対し、第１Ｌ型側板の側板本体が収納棚の左右他側部において第２Ｌ型側板の側板本体に前後方向に並びかつ起立片部が収納棚の前後一側部に位置した状態で、該側板本体が第１自立用ボックスの上記一方の側壁に締結具により取り外し可能に締結されて起立状態で固定されている。
【００１３】
そして、上記一方の中仕切り板は下端部において上記第２自立用ボックスに対し、第２自立用ボックスの他方の側壁に締結具により取り外し可能に締結されて起立状態で固定され、他方の中仕切り板は下端部において上記第１自立用ボックスに対し、一方の中仕切り板に前後方向に並んだ状態で第１自立用ボックスの他方の側壁に締結具により取り外し可能に締結されて起立状態で固定され、上記起立状態の第１及び第２Ｌ型側板の側板本体と両中仕切り板との間に第１及び第２棚板が架け渡されて取り外し可能に固定されていることを特徴とする。
【００１４】
この第１の発明では、収納棚を組み立てて設置する場合、例えば、まず、一方の第１Ｌ型側板を起立状態にして第２自立用ボックスの側方に配置し、その第１Ｌ型側板の側板本体及び起立片部の各下端部を第２自立用ボックスの一方の側壁に締結具により締結することで、第１Ｌ型側板を第２自立用ボックスに固定して起立状態で自立させる。また、この一方の第１Ｌ型側板の前後方向に一方の第２Ｌ型側板を側板本体が第１Ｌ型側板の側板本体に前後方向に並んだ状態で起立させて並べて、その側板の下端部を第２自立用ボックスの同じ一方の側壁に締結具により締結することで、第２Ｌ型側板を第２自立用ボックスに固定して起立状態で自立させる。このことで、一方の第１及び第２Ｌ型側板が前後に並んだ状態で第２自立用ボックスの一方の側壁に固定されて自立する。
【００１５】
一方、他方の第２Ｌ型側板については、そのＬ型側板を起立状態にして第１自立用ボックスの側方に配置し、その第２Ｌ型側板の側板本体及び起立片部の各下端部を第１自立用ボックスの一方の側壁に締結具により締結することで、第２Ｌ型側板を第１自立用ボックスに固定して起立状態で自立させる。また、この他方の第２Ｌ型側板の前後方向に他方の第１Ｌ型側板を側板本体が第２Ｌ型側板の側板本体に前後方向に並んだ状態で起立させて並べて、その側板の下端部を第１自立用ボックスの同じ一方の側壁に締結具により締結することで、第２Ｌ型側板を第１自立用ボックスに固定して起立状態で自立させる。このことで、他方の第１及び第２Ｌ型側板が前後に並んだ状態で第１自立用ボックスの一方の側壁に固定されて自立する。
【００１６】
そして、このように一方の側壁に一方の第１及び第２Ｌ型側板が前後に並んで固定された第２自立用ボックスと、同様に一方の側壁に他方の第１及び第２Ｌ型側板が前後に並んで固定された第１自立用ボックスとを前後にずれた状態で左右に対向するように並べ、そのとき、各々に固定された第１及び第２Ｌ型側板を、相対向する自立用ボックスから離れた側に配置する。このことで、第１及び第２自立用ボックスにそれぞれに固定された第１及び第２Ｌ型側板は左右方向に対向した状態で起立する。
【００１７】
この後、第１及び第２自立用ボックスの間に両中仕切り板を前後方向に並んだ状態で起立させて配置し、一方の中仕切り板の下端部を第２自立用ボックスの他方の側壁に締結具により締結して起立状態で自立させ、他方の中仕切り板の下端部を第１自立用ボックスの他方の側壁に締結具により締結して起立状態で自立させる。この状態では、自立用ボックスの両側に第１及び第２Ｌ型側板と両中仕切り板とが起立した状態となる。
【００１８】
最後に、第１及び第２棚板を上記起立状態の第１及び第２Ｌ型側板の側板本体と両中仕切り板との間に架け渡して取り外し可能に固定すればよい。
【００１９】
このように、収納棚の下部に配置される第１及び第２自立用ボックスに対し第１及び第２Ｌ型側板と両中仕切り板とを起立させて固定し、このＬ型側板と中仕切り板との間に棚板を架け渡すので、収納棚を完成後の使用状態に対応した自立状態で組み立てて設置することができ、組み立てのための広いスペースが不要で設置スペースさえあればよく、狭いスペースでもスムーズに設置することができる。また、収納棚は自立状態で組み立てられるので、その組み立て後に起立させる作業も要らず、高い収納棚であっても少ない作業者で設置できて手間を低減することができる。
【００２０】
そして、上記第１及び第２自立用ボックスに対して第１及び第２Ｌ型側板と両中仕切り板とは締結具により取り外し可能に締結されているので、収納棚を使用目的に応じて設置当初の構造から変更するときには、この締結具による締結を解除して第１及び第２Ｌ型側板と両中仕切り板とを第１及び第２自立用ボックスから取り外し、その自立用ボックスに対しＬ型側板や中仕切り板を異なる態様で取り付ければよく、容易に変更することができる。
【００２１】
第２の発明は、第１の発明において、第１自立用ボックスの前後幅は第２Ｌ型側板の側板本体の幅よりも大きく、第２自立用ボックスの前後幅は第１Ｌ型側板の側板本体の幅よりも大きいことを特徴とする。
【００２２】
この第２の発明では、第２自立用ボックスの一方の側壁に第１Ｌ型側板を締結したとき、第２自立用ボックスの前後幅と第１Ｌ型側板の側板本体の幅との差により第２自立用ボックスが第１Ｌ型側板の側板本体よりも突出することとなる。このことで、この第２自立用ボックスにおける突出した部分の側壁に、第１Ｌ型側板と前後に並ぶ第２Ｌ型側板の側板本体を固定することができ、その固定を容易に行うことができる。
【００２３】
また、第１自立用ボックスの一方の側壁に第２Ｌ型側板を締結したとき、第１自立用ボックスの前後幅と第２Ｌ型側板の側板本体の幅との差により第１自立用ボックスが第２Ｌ型側板の側板本体よりも突出することとなる。このことで、この第２自立用ボックスにおける突出した部分の側壁に、第２Ｌ型側板と前後に並ぶ第１Ｌ型側板の側板本体を固定することができ、その固定を容易に行うことができる。
【００２４】
第３の発明は、第１又は第２の発明において、第１Ｌ型側板の側板本体の幅は第１棚板の幅と同じであり、第２Ｌ型側板の側板本体の幅は第２棚板の幅と同じであることを特徴とする。
【００２５】
この第３の発明では、第１及び第２Ｌ型側板の側板本体の幅がそれぞれ第１及び第２棚板の幅と同じであるので、収納棚を設置当初の構造から変更するに当たり、２つの第１Ｌ型側板と第１棚板との組み合わせ、及び２つの第２Ｌ型側板と第２棚板との組み合わせにより新たな収納棚を設置するときに、Ｌ型側板の側板本体とその側板本体に架け渡される棚板との奥行きが互いに一致して棚板がＬ型側板の側板本体から突出しないようになり、見映えの良い収納棚を設置することができる。
【００２６】
第４の発明は、第１〜第３の発明のいずれか１つにおいて、第１及び第２棚板の少なくとも一方が、第１及び第２Ｌ型側板の側板本体と、両中仕切り板とに跨がって架け渡されていることを特徴とする。
【００２７】
この第４の発明では、第１及び第２棚板の少なくとも一方が、第１及び第２Ｌ型側板の側板本体の双方に跨がり、かつ両中仕切り板の双方に跨がって架け渡されているので、いずれかの棚板が第１及び第２Ｌ型側板の側板本体と、両中仕切り板との双方に連結されるようになり、収納棚の自立安定性をより一層確保することができる。
【００２８】
第５の発明は、第１〜第４の発明のいずれか１つの収納棚から組換えによって設置される収納棚であって、一方の第１Ｌ型側板は下端部において第１自立用ボックスに対し、第１Ｌ型側板の側板本体が収納棚の左右一側部に位置しかつ起立片部が収納棚の後側部に位置した状態で、該側板本体及び起立片部が第１自立用ボックスの一方の側壁に締結具により取り外し可能に締結されて起立状態で固定され、他方の第１Ｌ型側板は下端部において上記第１自立用ボックスに対し、第１Ｌ型側板の側板本体が収納棚の左右他側部に位置しかつ起立片部が収納棚の後側部に位置した状態で、該側板本体が第１自立用ボックスの他方の側壁に締結具により取り外し可能に締結されて起立状態で固定され、上記両第１Ｌ型側板の側板本体間に第１棚板が架け渡されて取り外し可能に固定され、上記両第１Ｌ型側板の起立片部間に一方の中仕切り板が突き合わせ状態で配置されていることを特徴とする。
【００２９】
この第５の発明では、上記の収納棚から組換えによって別の新たな収納棚を設置する場合、第１自立用ボックスの左右両側にそれぞれ第１Ｌ型側板をその各々の側板本体が収納棚の左右一側部に位置しかつ起立片部が収納棚の後側部に位置するように起立状態に配置し、一方の第１Ｌ型側板の側板本体の下端部を第１自立用ボックスの一方の側壁に、また他方の第１Ｌ型側板の側板本体の下端部を第１自立用ボックスの他方の側壁にそれぞれ締結具により締結し、左右の両第１Ｌ型側板の側板本体間に第１棚板を架け渡し、両第１Ｌ型側板の起立片部間に一方の中仕切り板を突き合わせ状態で配置すればよい。このことで、第１自立用ボックス、２枚の第１Ｌ型側板、一方の中仕切り板及び第１棚板を用いて、新たな収納棚を設置することができる。この場合も、新たな収納棚は自立状態で設置することができる。
【００３０】
第６の発明は、第１〜第４の発明のいずれか１つの収納棚から組換えによって設置される収納棚であって、一方の第２Ｌ型側板は下端部において第２自立用ボックスに対し、第２Ｌ型側板の側板本体が収納棚の左右一側部に位置しかつ起立片部が収納棚の後側部に位置した状態で、該側板本体及び起立片部が第２自立用ボックスの一方の側壁に締結具により取り外し可能に締結されて起立状態で固定され、他方の第２Ｌ型側板は下端部において上記第２自立用ボックスに対し、第２Ｌ型側板の側板本体が収納棚の左右他側部に位置しかつ起立片部が収納棚の後側部に位置した状態で、該側板本体が第２自立用ボックスの他方の側壁に締結具により取り外し可能に締結されて起立状態で固定され、上記両第２Ｌ型側板の側板本体間に第２棚板が架け渡されて取り外し可能に固定され、上記両第２Ｌ型側板の起立片部間に他方の中仕切り板が突き合わせ状態で配置されていることを特徴とする。
【００３１】
この第６の発明では、第５の発明と同様に、上記の収納棚から組換えによって別の新たな収納棚を設置する場合、第２自立用ボックスの左右両側にそれぞれ第２Ｌ型側板をその各々の側板本体が収納棚の左右一側部に位置しかつ起立片部が収納棚の前側部に位置するように起立状態に配置し、一方の第２Ｌ型側板の側板本体の下端部を第２自立用ボックスの一方の側壁に、また他方の第２Ｌ型側板の側板本体の下端部を第２自立用ボックスの他方の側壁にそれぞれ締結具により締結し、左右の両第２Ｌ型側板の側板本体間に第２棚板を架け渡し、両第２Ｌ型側板の起立片部間に他方の中仕切り板を突き合わせ状態で配置すればよい。このことで、第２自立用ボックス、２枚の第２Ｌ型側板、他方の中仕切り板及び第２棚板を用いて、新たな収納棚を設置することができる。この場合も、新たな収納棚は自立状態で設置することができる。
【００３２】
第７の発明は収納棚セットであり、この収納棚セットは、第１〜第４の発明のいずれか１つの収納棚の自立用ボックス、Ｌ型側板、中仕切り板及び棚板が組み立て前に分解された状態でまとめられていることを特徴とする。
【００３３】
この第７の発明では、第１〜第４の発明の収納棚を設置するために必要な部材が揃った収納棚セットが容易に得られる。
【発明の効果】
【００３４】
以上説明した如く、本発明によると、収納棚として、前後に並べられた大小２種類のＬ型側板の組を左右に対向するように起立状態に配置し、２種類のＬ型側板の下端部をそれぞれ２つの自立用ボックスに取り外し可能に固定し、両自立用ボックス間に１対の中仕切り板の下端部を取り外し可能に固定し、Ｌ型側板及び中仕切り板の間に大小２種類の棚板を架け渡したことにより、収納棚を完成後の使用状態に対応した自立状態で組み立てて設置することができ、狭いスペースでもスムーズに設置することができるとともに、収納棚の組み立て後に起立させる作業が不要で、高い収納棚であっても少ない作業者で設置でき、設置作業の手間を低減することができる。さらに、締結具による締結を解除して第１及び第２Ｌ型側板と中仕切り板とを第１及び第２自立用ボックスから取り外し、その自立用ボックスに対しＬ型側板や中仕切り板を異なる態様で取り付けることができ、収納棚を使用目的に応じて設置当初の構造から容易に変更することができる。
【図面の簡単な説明】
【００３５】
【図１】図１は、本発明の実施形態に係る収納棚の斜視図である。
【図２】図２は、収納棚の平面図である。
【図３】図３は、収納棚の正面図である。
【図４】図４は、収納棚の側面図である。
【図５】図５は、２つの自立用ボックスに対するＬ型側板及び中仕切り板の取付構造を、棚板と自立用ボックスの上側の板材とを取り外した状態で示す拡大平面図である。
【図６】図６は、自立用ボックスの斜視図である。
【図７】図７は、Ｌ型側板の斜視図である。
【図８】図８は、中仕切り板の斜視図である。
【図９】図９は、組換えによって新たに設置される収納棚を示す平面図である。
【発明を実施するための形態】
【００３６】
以下、本発明の実施形態を図面に基づいて詳細に説明する。以下の実施形態の説明は、本質的に例示に過ぎず、本発明、その適用物或いはその用途を制限することを意図するものでは全くない。
【００３７】
図１〜図４は本発明の実施形態に係る収納棚Ｆを示す。この収納棚Ｆは前後に開放されたものであり、室内において床面上に自立状態に設置されて主として間仕切り等の用途に用いられる一方、必要に応じて各部材が組み換えられて、壁面に設置される背板部を有する大小２つの収納棚Ｆ１，Ｆ２（図９参照）としても使用できるようになっている。尚、これらの収納棚Ｆ，Ｆ１，Ｆ２において、「前」とは手前側を、また後側とは奥側をそれぞれ表し、「左」とは手前側から見て左側を、また「右」とは同様に手前側から見て右側をそれぞれ表すものとする。
【００３８】
収納棚Ｆは、第１及び第２の２種類の自立用ボックス１，２と、第１及び第２の２種類で４枚のＬ型側板１１，１１，１２，１２と、１対（２枚）の中仕切り板２１，２１と、第１及び第２の２種類で複数枚の棚板３１，３１，…，３２，３２，…とを備え、これらは例えば木質材料等により構成されている。
【００３９】
（自立用ボックス）
第１及び第２自立用ボックス１，２は大きさ及び構造が互いに同じである。これらの自立用ボックス１，２は収納棚Ｆの下部の左右両側に配置される。図６に示すように、各自立用ボックス１，２は、上下に間隔をあけて対向する同じ大きさの矩形状の板材３，３と、両板材３，３同士を各々の対角線方向に対向する両角部において一体的に連結する１対の側壁４，４とからなっている。各側壁４は断面Ｌ字状のもので、板材３の角部に対応するように配置されている。下側の板材３は収納棚Ｆの底板の一部を構成し、上側の板材３は収納棚Ｆの下から２段目の棚板の一部を構成するようになっている。自立用ボックス１，２の板材３の左右方向の長さはいずれも棚板３１，３２の同長さと同じであるが、各自立用ボックス１，２の板材３の前後方向の幅（例えば３９０ｍｍ）はいずれも棚板３１，３２の同幅よりも大きくなっている。
【００４０】
各自立用ボックス１，２における２つの側壁４，４の所定位置には、予め、締結具としてのビスＶ（ボルト）（図５参照）を挿通させるための複数のビス挿通孔５，５，…が貫通形成されている。
【００４１】
そして、図５に示すように、両自立用ボックス１，２は、室内の床面上において収納棚Ｆの左右両側部に相当する位置に前後方向にずれて配置され、第１自立用ボックス１は収納棚Ｆの前側から見て右側の前部に、また第２自立用ボックス２は収納棚Ｆの前側から見て左側の後部にそれぞれ位置している。
【００４２】
尚、各自立用ボックス１，２は、上下の板材３，３と２つの側壁４，４とに分解されたものとし、さらには各側壁４についても断面Ｌ字状をなす２枚の板材に分解されたものとしておいて、これらを施工現場で組み立てるようにしておいてもよく、運搬や施工現場への持ち込みが容易となる。
【００４３】
（Ｌ型側板）
第１及び第２Ｌ型側板１１，１２は収納棚Ｆの左右両側に起立状態で配置されるもので、収納棚Ｆの左右両側の各々において第１及び第２Ｌ型側板１１，１２が前後に並んで平面視でコ字状の１つの側板を形成するようになっている。第１及び第２Ｌ型側板１１，１２についても大きさが異なるだけで、その構造は互いに同じである。図７に示すように、各Ｌ型側板１１，１２は、所定の高さ（例えば１４００ｍｍ）を有する縦長の細長い矩形板状の側板本体１３と、この側板本体１３と同じ高さの縦長の細長い板状の起立片部１４とからなり、側板本体１３及び起立片部１４は各々の長辺部で側板本体１３の長辺部木口面が起立片部１４の表面に当接した状態で互いに直交するように一体的に連結されており、このことでＬ型側板１１，１２は断面Ｌ字状となっている。第１Ｌ型側板１１の側板本体１３の前後方向の幅（例えば２１９．５ｍｍ）は第２Ｌ型側板１２の側板本体１３の同幅（例えば１５０ｍｍ）よりも大きく、つまり第２Ｌ型側板１２の側板本体１３は第１Ｌ型側板１１の側板本体１３よりも短い幅を有する。起立片部１４の左右方向の幅は両Ｌ型側板１１，１２共に同じであり（例えば２１１．５ｍｍ）、側板本体１３及び起立片部１４の厚さも互いに同じである（例えば２０．５ｍｍ）。
【００４４】
このＬ型側板１１，１２における側板本体１３及び起立片部１４の各下部には、予め複数の埋込ナットＮ，Ｎ，…が上記自立用ボックス１，２の側壁４における各ビス挿通孔５の位置に対応して埋め込まれており、ビス挿通孔５を自立用ボックス１，２の内側から挿通するビスＶが埋込ナットＮに螺合締結されることにより、Ｌ型側板１１，１２が自立用ボックス１，２の側壁４に固定されるようになっている。上記埋込ナットＮは、例えば（株）ムラコシ精工の商品名「鬼目ナット」（登録商標）等が好適に用いられる。
【００４５】
また、各Ｌ型側板１１，１２の側板本体１３及び起立片部１４には、棚板３１，３２を支持する部分に、予め複数のダボ穴１６，１６，…が他のＬ型側板１１，１２との間及び中仕切り板２１，２１との間で高さ位置を一致させて形成されている。
【００４６】
これらの第１及び第２Ｌ型側板１１，１２の側板本体１３の前後方向の幅（前後幅）を上記自立用ボックス１，２と比較すると、各自立用ボックス１，２の前後幅（例えば３９０ｍｍ）は、第２Ｌ型側板１２の側板本体１３の幅（例えば１５０ｍｍ）及び第１Ｌ型側板１１の側板本体１３の幅（例えば２１９．５ｍｍ）よりも大きくなっている。
【００４７】
尚、Ｌ型側板１１，１２は、設置現場において板状の側板本体１３及び起立片部１４が互いに直交するように連結されて断面Ｌ字状に組み立てられるものとしてもよい。
【００４８】
（中仕切り板）
２枚の中仕切り板２１，２１は収納棚Ｆの左右中央に起立状態で配置されるもので、両中仕切り板２１，２１が前後に並んで１枚の中仕切り板を形成するようになっている。両中仕切り板２１，２１は互いに大きさが同じである。すなわち、図８に示すように、各中仕切り板２１は、上記第１及び第２Ｌ型側板１１，１２と同じ高さ（例えば１４００ｍｍ）を有する縦長の細長い板材で、その前後方向の幅は第１Ｌ型側板１１の側板本体１３の同幅よりも小さく、第２Ｌ型側板１２の側板本体１３の同幅よりも大きい（例えば２０５．２５ｍｍ）。
【００４９】
この各中仕切り板２１の下部には予め複数の埋込ナットＮ，Ｎ，…が上記自立用ボックス１，２の側壁４のビス挿通孔５の位置に対応して埋め込まれており、ビス挿通孔５を自立用ボックス１，２の内側から挿通するビスＶが埋込ナットＮに螺合締結されることにより、両中仕切り板２１，２１が自立用ボックス１，２の側壁４に固定されるようになっている。この埋込ナットＮも、Ｌ型側板１１，１２の側板本体１３に埋め込まれているものと同じである。
【００５０】
また、各中仕切り板２１には、棚板３１，３２を支持する部分に予め複数のダボ穴１６，１６，…がＬ型側板１１，１２との間で高さ位置を一致させて形成されている。
【００５１】
（棚板）
第１及び第２の棚板３１，３２についても大きさが異なるだけで、その構造は互いに同じである。これらの棚板３１，３２は左右方向に延びる横長の細長い板材からなり、第１及び第２の棚板３１，３２の左右方向の長さは互いに同じ（例えば５６７．７５ｍｍ）である。第２棚板３２の幅は第１棚板３１よりも短く、第１棚板３１幅は第１Ｌ型側板１１の側板本体１３の幅と同じ（例えば２１９．５ｍｍ）であり、第２棚板３２の幅は第２Ｌ型側板１２の側板本体１３の幅と同じ（例えば１５０ｍｍ）である。
【００５２】
そして、図１〜図５に示すように、上記２つの第１Ｌ型側板１１，１１のうち、左側（図３及び図５で左側）の第１Ｌ型側板１１は、収納棚Ｆの左側後部に起立状態に配置されて、下端部が第２自立用ボックス２に固定されている。具体的には、この第１Ｌ型側板１１の側板本体１３は収納棚Ｆの左側後部に、また起立片部１４は収納棚Ｆの後部にそれぞれ位置していて、これらの下端部が第２自立用ボックス２の断面Ｌ字状の左側壁４に沿って該側壁４に当接するように配置されている。この状態で、第２自立用ボックス２の左側壁４における複数のビス挿通孔５，５，…にボックス２内側からビスＶが挿通され、このビスＶがそれぞれ第１Ｌ型側板１１の側板本体１３及び起立片部１４の複数の埋込ナットＮ，Ｎ，…に取り外し可能に螺合締結されている。このことにより、第１Ｌ型側板１１が下端部において第２自立用ボックス２に対しその左側壁４にて起立状態で固定されている。このとき、第２自立用ボックス２の前後幅は第１Ｌ型側板１１の側板本体１３の幅よりも大きいので、第２自立用ボックス２の左側前端部が左側壁４と共に第１Ｌ型側板１１の側板本体１３よりも前側に突出している。
【００５３】
また、２つの第２Ｌ型側板１２，１２のうち、左側（図３及び図５で左側）の第２Ｌ型側板１２は収納棚Ｆの左側前部に起立状態に配置されて、下端部が第２自立用ボックス２に固定されている。具体的には、この第２Ｌ型側板１１の側板本体１３は収納棚Ｆの左側前部に、また起立片部１４は収納棚Ｆの前部にそれぞれ位置していて、第２Ｌ型側板１２の側板本体１３は、第１Ｌ型側板１１の側板本体１３の前側に両側板本体１３，１３により１枚の連続した側板を形成するように前後方向に並び、その下端部は第２自立用ボックス２の左側壁４の前後方向に延びる部分に沿って該部分に当接するように配置されている。この状態で、第１Ｌ型側板１１の側板本体１３よりも前側に突出している、第２自立用ボックス２１の左側前端部の左側壁４における複数のビス挿通孔５，５，…にボックス２内側からビスＶが挿通され、このビスＶがそれぞれ第２Ｌ型側板１２の側板本体１３の複数の埋込ナットＮ，Ｎ，…に取り外し可能に螺合締結されており、このことにより、第２Ｌ型側板１２が下端部において第２自立用ボックス２に対しその左側壁４にて起立状態で固定されている。
【００５４】
一方、右側（図３及び図５で右側）の第２Ｌ型側板１２は収納棚Ｆの右側前部に起立状態に配置されて、下端部が第１自立用ボックス１に固定されている。具体的には、この第２Ｌ型側板１２の側板本体１３は収納棚Ｆの右側前部に、また起立片部１４は収納棚Ｆの前部にそれぞれ位置していて、これらの下端部が第１自立用ボックス１の断面Ｌ字状の右側壁４に沿って該側壁４に当接するように配置されている。この状態で、第１自立用ボックス１の右側壁４における複数のビス挿通孔５，５，…にボックス１内側からビスＶが挿通され、このビスＶがそれぞれ第２Ｌ型側板１２の側板本体１３及び起立片部１４の複数の埋込ナットＮ，Ｎ，…に取り外し可能に螺合締結されている。このことにより、第２Ｌ型側板１２が下端部において第１自立用ボックス１に対しその右側壁４にて起立状態で固定されている。このとき、第１自立用ボックス１の前後幅は第２Ｌ型側板１２の側板本体１３の幅よりも大きいので、第１自立用ボックス１の右側後端部が右側壁４と共に第２Ｌ型側板１２の側板本体１３よりも後側に突出している。
【００５５】
また、右側（図３及び図５で右側）の第１Ｌ型側板１１は収納棚Ｆの右側後部に起立状態に配置されて、下端部が第１自立用ボックス１に固定されている。具体的には、この第１Ｌ型側板１１の側板本体１３は収納棚Ｆの右側後部に、また起立片部１４は収納棚Ｆの後部にそれぞれ位置していて、第１Ｌ型側板１１の側板本体１３は、第２Ｌ型側板１２の側板本体１３の後側に両側板本体１３，１３により１枚の連続した側板を形成するように前後方向に並び、その下端部は第１自立用ボックス１の右側壁４の前後方向に延びる部分に沿って該部分に当接するように配置されている。この状態で、第２Ｌ型側板１２の側板本体１３よりも後側に突出している、第１自立用ボックス１の右側前端部が右側壁４における複数のビス挿通孔５，５，…にボックス１内側からビスＶが挿通され、このビスＶがそれぞれ第１Ｌ型側板１１の側板本体１３の複数の埋込ナットＮ，Ｎ，…に取り外し可能に螺合締結されており、このことにより、第１Ｌ型側板１１が下端部において第１自立用ボックス１に対しその左側壁４にて起立状態で固定されている。
【００５６】
そして、第１Ｌ型側板１１，１１同士及び第２Ｌ型側板１２，１２同士はそれぞれ左右に対向するように起立状に配置され、第１及び第２自立用ボックス１，２は前後にずれており、その状態で、第１及び第２自立用ボックス１，２の間に両中仕切り板２１，２１が起立して配置されている。一方の中仕切り板２１は後側に、また他方の中仕切り板２１は前側にそれぞれ配置され、両中仕切り板２１，２１は１枚の連続した中仕切り板となるように前後方向に並んでいる。この状態で、第２自立用ボックス２の右側壁４における複数のビス挿通孔５，５，…にボックス２内側からビスＶが挿通され、このビスＶがそれぞれ後側の中仕切り板２１の複数の埋込ナットＮ，Ｎ，…に取り外し可能に螺合締結されている。また、第１自立用ボックス１の左側壁４における複数のビス挿通孔５，５，…にボックス１内側からビスＶが挿通され、このビスＶがそれぞれ前側の中仕切り板２１の複数の埋込ナットＮ，Ｎ，…に取り外し可能に螺合締結されている。このことにより、後側の中仕切り板２１が下端部において第２自立用ボックス２に対しその右側壁４にて、また前側の中仕切り板２１が下端部において第１自立用ボックス１に対しその左側壁にて４それぞれ起立状態で固定されている。
【００５７】
また、上記起立状態の左側の第１及び第２Ｌ型側板１１，１２の側板本体１３と中央の両中仕切り板２１，２１との間に高さの異なる多段の左側の第１及び第２棚板３１，３２が架け渡され、同様に、右側の第１及び第２Ｌ型側板１１，１２の側板本体１３と中央の両中仕切り板２１，２１との間にも高さの異なる多段の右側の第１及び第２棚板３１，３２が架け渡されている。各段の高さの第１及び第２棚板３１，３２は１枚の棚板となるように前後に突き合わされて状態で架け渡されている。各棚板３１，３２の左右端部は、Ｌ型側板１１，１２及び中仕切り板２１，２１に対し、Ｌ型側板１１，１２及び中仕切り板２１，２１のダボ穴に螺合等により固定された連結用ダボ（図示せず）によって取り外し可能に一体的に固定されている。この連結用ダボとしては、木製や金属製を含む一般的なものを使用することができ、棚板３１，３２の左右両端部をＬ型側板１１，１２及び中仕切り板２１，２２に対し取り外し可能に連結するものであればよい。
【００５８】
このとき、幅の大きい第１棚板３１が幅の小さい第２棚板３２の前側に位置しているのに対し、側板本体１３の幅の大きい第１Ｌ型側板１１が幅の小さい第２Ｌ型側板１２の後側に位置しているので、収納棚Ｆを平面視したとき、前後に並んだ第１及び第２棚板３１，３２同士の突き合わせ位置と、第１及び第２Ｌ型側板１１，１２の側板本体１３，１３同士の突き合わせ位置とが平面視で前後方向に異なり、前者の突き合わせ位置が後者よりも後側にずれている。換言すれば、幅の小さい第２棚板３２は第１Ｌ型側板１１と後側の中仕切り板２１とのみに架け渡されて連結されているのに対し、幅の大きい第１棚板３１は、第１及び第２Ｌ型側板１１，１２の双方に連結され、同時に両中仕切り板２１，２１の双方にも連結されている。
【００５９】
以上の構造により収納棚Ｆが構成されている。そして、上記第１及び自立用ボックス１，２、４枚の第１及び第２Ｌ型側板１１，１１，１２，１２、両中仕切り板２１，２１、並びに複数枚の第１及び第２棚板３１，３１，…，３２，３２，…は、施工現場に持ち込まれて組み立てられる前に分解された状態でまとめられた収納棚セットとして梱包されている。尚、各自立用ボックス１，２を上下の板材３，３と２つの側壁４，４とに分解して梱包するようにしてもよい。また、この各側壁４についても断面Ｌ字状をなす２枚の板材に分けて梱包するようにしてもよい。
【００６０】
次に、上記収納棚Ｆを設置する場合の組み立て手順について説明する。この手順は例示であり、他の組み立て手順であってもよい。
【００６１】
収納棚Ｆを組み立てて設置する場合、施工現場に収納棚セットを持ち込み、その梱包を解いて第１及び第２自立用ボックス１，２、４枚の第１及び第２Ｌ型側板１１，１１，１２，１２、両中仕切り板２１，２１、並びに複数枚の第１及び第２棚板３１，３１，…３２，３２，…を取り出す。尚、自立用ボックス１，２が分解されているときには、上下の板材３，３同士を断面Ｌ字状の１対の側壁４，４により連結してボックス状に組み立て、側壁４が２枚の板材に分けられているときにはそれらを断面Ｌ字状に接合する。また、Ｌ型側板１１，１２が側板本体１３と起立片部１４とに分解されているときには、それらを連結して断面Ｌ字状に組み立てる。
【００６２】
まず、左側の第１Ｌ型側板１１を起立状態にして第２自立用ボックス２の左側後部に配置し、その第１Ｌ型側板１１の側板本体１３及び起立片部１４の各下端部を第２自立用ボックス２の左側壁４にビスＶにより締結する。このビスＶは、第２自立用ボックス２の内側から左側壁４における複数のビス挿通孔５，５，…に挿通した後、第１Ｌ型側板１１の側板本体１３及び起立片部１４の複数の埋込ナットＮ，Ｎ，…に螺合して締結する。このことで、第１Ｌ型側板１１を第２自立用ボックス２に固定して起立状態で自立させる。このとき、第２自立用ボックス２の前後幅は第１Ｌ型側板１１の側板本体１３の幅よりも大きいので、第２自立用ボックス２の左側前端部が左側壁４と共に第１Ｌ型側板１１の側板本体１３よりも前側に突出した状態となる。
【００６３】
次いで、この第１Ｌ型側板１１の前側に左側の第２Ｌ型側板１２を側板本体１３が第１Ｌ型側板１１の側板本体１３に前後方向に並んだ状態で起立させて並べて、その第２Ｌ型側板１２の側板本体１３の下端部を第２自立用ボックス２の同じ左側壁４にビスＶにより締結することで、第２Ｌ型側板１２を第２自立用ボックス２に固定して起立状態で自立させる。そのとき、上記の如く、第２自立用ボックス２の左側前端部が第１Ｌ型側板１１の側板本体１３よりも前側に突出しているので、その左側壁４における複数のビス挿通孔５，５，…にボックス２内側からビスＶを挿通し、このビスＶをそれぞれ第２Ｌ型側板１２の側板本体１３の複数の埋込ナットＮ，Ｎ，…に螺合締結すればよく、第２Ｌ型側板１２の第２自立用ボックス２への取付けを容易に行うことができる。このことで、左側の第１及び第２Ｌ型側板１１，１２が前後に並んだ状態で第２自立用ボックス２の左側壁４に固定されて自立する。
【００６４】
一方、右側の第２Ｌ型側板１２については、そのＬ型側板１２を起立状態にして第１自立用ボックス１の右側前部に配置し、その第２Ｌ型側板１２の側板本体１３及び起立片部１４の各下端部を第１自立用ボックス１の右側壁４にビスＶにより締結する。すなわち、このビスＶを、第１自立用ボックス１の内側から右側壁４における複数のビス挿通孔５，５，…に挿通した後、第２Ｌ型側板１２の側板本体１３及び起立片部１４の複数の埋込ナットＮ，Ｎ，…に螺合して締結する。このことで、第２Ｌ型側板１２を第１自立用ボックス１に固定して起立状態で自立させる。このとき、第１自立用ボックス１の前後幅は第２Ｌ型側板１２の側板本体１３の幅よりも大きいので、第１自立用ボックス１の右側後端部が右側壁４と共に第２Ｌ型側板１２の側板本体１３よりも後側に突出した状態となる。
【００６５】
また、この第２Ｌ型側板１２の後側に右側の第１Ｌ型側板１１を側板本体１３が第２Ｌ型側板１２の側板本体１３に前後方向に並んだ状態で起立させて並べて、その第１Ｌ型側板１１の側板本体１３の下端部を第１自立用ボックス１の同じ右側壁４にビスＶにより締結することで、第１Ｌ型側板１２を第１自立用ボックス１に固定して起立状態で自立させる。そのとき、第１自立用ボックス１の右側前端部が第２Ｌ型側板１２の側板本体１３よりも後側に突出しているので、その右側壁４における複数のビス挿通孔５，５，…にボックス１内側からビスＶを挿通し、このビスＶをそれぞれ第１Ｌ型側板１１側板本体１３の複数の埋込ナットＮ，Ｎ，…に螺合締結すればよく、第１Ｌ型側板１１の第１自立用ボックス１への取付けを容易に行うことができる。このことで、右側の第１及び第２Ｌ型側板１１，１２が前後に並んだ状態で第１自立用ボックス１の右側壁４に固定されて自立する。
【００６６】
そして、このように左側壁４に左側の第１及び第２Ｌ型側板１１，１２が前後に並んで固定された第２自立用ボックス２と、同様に右側壁４に右側の第１及び第２Ｌ型側板１１，１２が前後に並んで固定された第１自立用ボックス１とを前者が後者よりも後側に位置するように前後にずれた状態で左右に対向するように並べ、各々に固定された第１及び第２Ｌ型側板１１，１２を、相対向する自立用ボックス１，２から離れた側に配置する。このことで、第１自立用ボックス１に固定された右側の第１及び第２Ｌ型側板１１，１２と、第２自立用ボックス２に固定された左側の第１及び第２Ｌ型側板１１，１２とは互いに左右方向に対向した状態で起立する。
【００６７】
この後、第１及び第２自立用ボックス１，２の間に両中仕切り板２１，２１を前後方向に並んだ状態で起立させて配置し、第２自立用ボックス２の右側壁４における複数のビス挿通孔５，５，…にボックス２内側からビスＶを挿通して、このビスＶをそれぞれ後側の中仕切り板２１の複数の埋込ナットＮ，Ｎ，…に螺合締結する。また、第１自立用ボックス１の左側壁４における複数のビス挿通孔５，５，…にボックス１内側からビスＶを挿通して、このビスＶをそれぞれ前側の中仕切り板２１の複数の埋込ナットＮ，Ｎ，…に螺合締結する。このことで、後側の中仕切り板２１を下端部において第２自立用ボックス２にその右側壁４にて、また前側の中仕切り板２１を下端部において第１自立用ボックス１にその左側壁４にてそれぞれ起立状態で固定する。このようにして、自立用ボックス１，２の両側に左右の第１及び第２Ｌ型側板１１，１２と中央の両中仕切り板２１，２１とが起立した状態となる。
【００６８】
最後に、第１及び第２棚板３１，３２を前後に突き合わせた状態で並べて１枚の棚板とし、このように並べられた複数枚の棚板を、自立用ボックス１，２の上側において上記起立状態の左右の第１及び第２Ｌ型側板１１，１２の側板本体１３，１３と中央の両中仕切り板２１，２１との間に高さが異なるように配置し、各段の高さの棚板（第１及び第２棚板３１，３２）を、第１及び第２Ｌ型側板１１，１２の側板本体１３及び起立片部１４と両中仕切り板２１，２１とに連結用ダボにより連結固定すればよい。そのとき、各棚板３１，３２は第１及び第２Ｌ型側板１１，１２の側板本体１３及び起立片部１４と両中仕切り板２１，２１とに対し取り外し可能に固定する。また、自立用ボックス１，２の下側の板材３は最下段の棚板の一部となり、上側の板材３は下から２番目の棚板の一部（残りの部分は上側の板材３と同じ高さの棚板３１，３２であってもよい）となる。尚、例えば最上段以外の段の棚板３１，３２は高さ位置を変更可能な可動棚とすることもできる。
【００６９】
したがって、この実施形態においては、収納棚Ｆの下部に配置される第１及び第２自立用ボックス１，２に対し、左側の第１及び第２Ｌ型側板１１，１２と右側の第１及び第２Ｌ型側板１１，１２と左右中央の両中仕切り板２１，２１とを起立させて固定し、このＬ型側板１１，１２と中仕切り板２１，２１との間に棚板３１，３２を架け渡すので、収納棚Ｆを完成後の使用状態に対応した自立状態で組み立てて設置することができ、組み立てのための広いスペースが不要で設置スペースさえあればよく、狭いスペースでもスムーズに設置することができる。また、収納棚Ｆは最初から自立状態で組み立てられるので、その組み立て後に起立させる作業も要らず、高い収納棚Ｆであっても少ない作業者で設置できて手間を低減することができる。
【００７０】
さらに、Ｌ型側板１１，１２及び中仕切り板２１，２１の各下部の所定位置に前もって埋込ナットＮ，Ｎ，…が設けられ、各自立用ボックス１，２の側壁４に予めビス挿通孔５，５，…が形成されているので、ビス挿通孔５にビスＶを挿通して埋込ナットＮに螺合締結するだけで、自立用ボックス１，２にＬ型側板１１，１２及び中仕切り板２１，２１を連結して固定することができ、その組付作業が容易になって施工性を高めることができる。
【００７１】
また、Ｌ型側板１１，１２は側板本体１３と起立片部１４が直交する断面Ｌ字状のものであり、これらのＬ型側板１１，１２が収納棚Ｆの左右両側の４隅部分に配置されているので、収納棚Ｆの特に左右方向の自立安定性を高めることができる。
【００７２】
また、自立用ボックス１，２は、矩形状の板材３，３同士を各々の対角線方向に対向する両角部において断面Ｌ字状の１対の側壁４，４により一体的に連結したものであるので、この自立用ボックス１，２にＬ型側板１１，１２や中仕切り板２１，２１を起立状態で固定したときに、それらの起立状態が不安定になることはなく、組み立て作業をスムーズに進めることができる。
【００７３】
さらに、幅の大きい第１棚板３１は、第１及び第２Ｌ型側板１１，１２の側板本体１３，１３の双方に跨がって架け渡されて固定され、かつ両中仕切り板２１，２１の双方にも跨がって架け渡されて固定されているので、その第１棚板３１が第１及び第２Ｌ型側板１１，１２の側板本体１３，１３同士、並びに両中仕切り板２１，２１同士を連結することとなり、収納棚Ｆの前後方向の自立安定性をより一層確保することができる。尚、幅の小さい第２棚板３２を第１及び第２Ｌ型側板１１，１２の側板本体１３，１３の双方、並びに両中仕切り板２１，２１の双方に跨がって架け渡して固定してもよく、第１及び第２棚板３１，３２のいずれをも両Ｌ型側板１１，１２及び両中仕切り板２１，２１に架け渡すようにすることもできる。
【００７４】
そして、上記第１及び第２自立用ボックス１，２に対して第１及び第２Ｌ型側板１１，１２と両中仕切り板２１，２１とはビスＶにより取り外し可能に締結されているので、収納棚Ｆを使用目的に応じて設置当初の構造から変更して新たな収納棚Ｆ１，Ｆ２を設置するときには、このビスＶによる締結を解除して第１及び第２Ｌ型側板１１，１２と両中仕切り板２１，２１とを第１及び第２自立用ボックス１，２から取り外し、その各自立用ボックス１，２に対しＬ型側板１１，１２や中仕切り板２１，２１を異なる態様で取り付ければよく、容易に変更することができる。
【００７５】
この新たな収納棚Ｆ１，Ｆ２は２種類あり、いずれも上記収納棚Ｆの部材をそのまま使用して設置される。図９（ａ）は新たな第１収納棚Ｆ１を、また図９（ｂ）は新たな第２収納棚Ｆ２をそれぞれ示している。
【００７６】
第１収納棚Ｆ１は、第１自立用ボックス１、１対の第１Ｌ型側板１１，１１、一方の中仕切り板２１及び複数枚の第１棚板３１，３１，…を組み合わせたものである。すなわち、図９（ａ）に示すように、一方（例えば左側）の第１Ｌ型側板１１は下端部において第１自立用ボックス１に対し、第１Ｌ型側板１１の側板本体１３が収納棚Ｆ１の左側部に位置しかつ起立片部１４が収納棚Ｆ１の後側部に位置した状態で、該側板本体１３及び起立片部１４が第１自立用ボックス１の左側壁４にビスＶ（締結具）により取り外し可能に締結されて起立状態で固定されている。また、他方（例えば右側）の第１Ｌ型側板１１は下端部において同じ第１自立用ボックス１に対し、第１Ｌ型側板１１の側板本体１３が収納棚Ｆ１の右側部に位置しかつ起立片部１４が収納棚Ｆ１のやはり後側部に位置した状態で、該側板本体１３が第１自立用ボックス１の右側壁４にビスＶ（締結具）により取り外し可能に締結されて起立状態で固定されている。
【００７７】
そして、上記両第１Ｌ型側板１１，１１の側板本体１３，１３間に複数枚の第１棚板３１，３１，…が高さを変えた状態で多段に架け渡されて連結用ダボにより取り外し可能に連結固定されている。また、左右の両第１Ｌ型側板１１，１１の起立片部１４，１４はいずれも収納棚Ｆ１の後側部に位置し、これらの起立片部１４，１４間に一方の中仕切り板２１が突き合わせ状態で配置されて固定されている。この中仕切り板２１は、第１収納棚Ｆ１の背板部を構成するもので、第１棚板３１や第１自立用ボックス１の上下の板材３，３にビスＶ等により取り外し可能に固定されている。
【００７８】
また、第１収納棚Ｆ１においては、第１自立用ボックス１の前端部は、各第１Ｌ型側板１１の側板本体１３、中仕切り板２１及び各第１棚板３１よりも前側に突出している。このことで、第１収納棚Ｆ１の設置面積が第１自立用ボックス１により大きくなり、安定した設置となる。
【００７９】
一方、第２収納棚Ｆ２は、図９（ｂ）に示すように、第２自立用ボックス２、１対の第２Ｌ型側板１２，１２、他方の中仕切り板２１及び複数枚の第２棚板３２，３２，…を組み合わせたものである。すなわち、一方（例えば左側）の第２Ｌ型側板１２は下端部において第２自立用ボックス２に対し、第２Ｌ型側板１２の側板本体１３が収納棚Ｆ２の左側部に位置しかつ起立片部１４が収納棚Ｆ２の後部に位置した状態で、該側板本体１３及び起立片部１４が第２自立用ボックス２の左側壁４にビスＶ（締結具）により取り外し可能に締結されて起立状態で固定されている。また、他方（例えば右側）の第２Ｌ型側板１２は下端部において第２自立用ボックス２に対し、第２Ｌ型側板１２の側板本体１３が収納棚Ｆ２の右側部に位置しかつ起立片部１４が収納棚Ｆ２の後部に位置した状態で、該側板本体１３が第２自立用ボックス２の右側壁４にビスＶ（締結具）により取り外し可能に締結されて起立状態で固定されている。そして、両第２Ｌ型側板１２，１２の側板本体１３，１３間に複数枚の第２棚板３２，３２，…が高さを変えた状態で多段に架け渡されて連結用ダボにより取り外し可能に固定されている。また、左右の両第２Ｌ型側板１２，１２の起立片部１４，１４はいずれも収納棚Ｆ２の後側部に位置し、これらの起立片部１４，１４間に他方の中仕切り板２１が突き合わせ状態で配置されて固定されている。この中仕切り板２１も、第２収納棚Ｆ２の背板部を構成するもので、第２棚板３２や第２自立用ボックス２の上下の板材３，３にビスＶ等により取り外し可能に固定されている。
【００８０】
また、第２収納棚Ｆ２においても、第２自立用ボックス２の前端部が、各第２Ｌ型側板１２の側板本体１３、中仕切り板２１及び各第２棚板３２よりも前側に突出している。このことで、第２収納棚Ｆ２の設置面積も第２自立用ボックス２により大きくなり、安定した設置となる。
【００８１】
この新たな２種類の収納棚Ｆ１，Ｆ２は、大きさが異なるだけで構造は同じであり、中仕切り板２１を背板部にして前側に開放されたものであり、その背板部（中仕切り板２１）を室内の壁面に向けて設置されて書棚等として使用できるようになっている。
【００８２】
このとき、第１Ｌ型側板１１の側板本体１３の幅は第１棚板３１の幅と同じであり、第２Ｌ型側板１２の側板本体１３の幅は第２棚板３２の幅と同じであるので、２つの第１Ｌ型側板１１，１１と第１棚板３１との組み合わせにより第１収納棚Ｆ１を、また２つの第２Ｌ型側板１２，１２と第２棚板３２との組み合わせにより第２収納棚Ｆ２をそれぞれ設置するときに、Ｌ型側板１１，１２の側板本体１３とその側板本体１３に架け渡される棚板３１，３２との奥行きが互いに一致して棚板３１，３２がＬ型側板１１，１２の側板本体１３から突出しないようになり、見映えの良い収納棚Ｆ１，Ｆ２を設置することができる。
【００８３】
こうすることで、同じ部材を用いながら、間仕切りタイプの収納棚Ｆと、書棚タイプの収納棚Ｆ１，Ｆ２とに切り換えて変更でき、使用者の好みや生活スタイルに合わせた使い方を選択することができる。特に、例えば賃貸用の住宅であれば、入居者毎に間仕切りタイプの収納棚Ｆと書棚タイプの収納棚Ｆ１，Ｆ２とを物件の間取り等に応じて切り換えることができる。
【００８４】
（その他の実施形態）
尚、上記実施形態では、収納棚Ｆにおいて、第１及び第２棚板３１，３２を前後に突き合わせて同じ高さの１枚の棚板に配置しているが、第１及び第２棚板３１，３２を高さの異なる段違いの棚板になるように配置することもできる。
【００８５】
また、上記実施形態では、第１及び第２自立用ボックス１，２の大きさを互いに同じとしているが、異なる大きさにしてもよく、実施形態と同様の作用効果が得られる。
【産業上の利用可能性】
【００８６】
本発明は、収納棚を自立状態で組み立てて設置できるとともに、収納棚を使用目的に応じて設置当初の構造から容易に変更できるので、極めて有用であり、産業上の利用可能性が高い。
【符号の説明】
【００８７】
Ｆ，Ｆ１，Ｆ２  収納棚
Ｎ  埋込ナット
Ｖ  ビス（締結具）
１  第１自立用ボックス
２  第２自立用ボックス
３  板材
４  側壁
５  ビス挿通孔
１１  第１Ｌ型側板
１２  第２Ｌ型側板
１３  側板本体
１４  起立片部
１６  ダボ穴
２１  中仕切り板
３１  第１棚板
３２  第２棚板
【図１】
2018051265.tif 000003
【図２】
2018051265.tif 000004
【図３】
2018051265.tif 000005
【図４】
2018051265.tif 000006
【図５】
2018051265.tif 000007
【図６】
2018051265.tif 000008
【図７】
2018051265.tif 000009
【図８】
2018051265.tif 000010
【図９】
2018051265.tif 000011